(57)【要約】【課題】リモコンを使用することで、警報音の音量を設定する。【解決手段】センサライト本体２において、警報音を発するスピーカ１９に、警報音の音量を設定する電子ボリューム１７及び音量設定ボリューム付き増幅器１７Ｂを介して制御手段１４を連係する。センサライト本体２とは別体として、スピーカ１９による警報音の音量の設定が可能であるリモコン３を備える。制御手段１４は、リモコン３よりの、押しボタンスイッチ４１の押圧回数に対応する音量設定信号を受け、電子ボリューム１７Ａ及び音量設定ボリューム付き増幅器１７Ｂを制御して、警報音の音量を設定する。【選択図】  図１
2009064376.tif 000002
【特許請求の範囲】
【請求項１】
光源を有し前記光源の光を検知エリア全体に向けて照射して前記検知エリアを照明する照明部と、前記検知エリア内への侵入者の侵入を検知する侵入検知センサとが、センサライト本体に対して設けられているセンサライトであって、
前記センサライト本体とは別体の遠隔制御器を備え、
前記遠隔制御器は、１つの音量設定用の押しボタンスイッチと、この押しボタンスイッチが押される毎に前記音量設定信号を生成する信号生成手段と、この信号生成手段により生成された音量設定信号を受け前記センサライト本体に前記音量設定信号を送信する送信手段とを有する一方、
前記センサライト本体は、前記検知センサによる侵入者の侵入の検知により警報音を発する音出力手段と、この音出力手段に連係され警報音の音量を調整する音量調整手段と、前記遠隔制御器の送信手段からの音量設定信号を受け前記音量設定信号の受信回数に対応して前記音量調整手段を制御して前記警報音の音量を設定する制御手段とを備えることを特徴とするセンサライト。
【請求項２】
前記制御手段は、前記音量設定信号の受信回数をカウントするカウント部と、このカウント部よりの信号を受け前記受信回数に応じて警報音の音量を設定する音量設定部と、この音量設定部よりの信号を受け前記音量調整手段を制御して、前記設定された警報音の音量とする調整部とを備えることを特徴とする請求項１記載のセンサライト。
【請求項３】
前記制御手段は、前記音量設定部よりの信号を受け前記音出力手段による警報音の現在の設定音量を視覚的又は聴覚的に報知する報知制御部とを備えることを特徴とする請求項２記載のセンサライト。
【請求項４】
前記制御手段は、複数段階の音量と前記音量設定信号の受信回数との関係を記憶する記憶部を有し、
前記音量設定部は、前記記憶部に連係され前記音量設定信号の受信回数に対応する段階の音量を選択することにより前記警報音の音量を設定するものであることを特徴とする請求項２又は３記載のセンサライト。
【請求項５】
前記報知制御部は、警報音の音量に応じて、前記光源の点灯状態あるいは点灯回数を変化させるものである請求項３または４に記載のセンサライト。
【請求項６】
前記報知制御部は、警報音の音量に応じて、前記音出力手段より出力される音の回数あるいは音の種類を変化させるものである請求項３又は４に記載のセンサライト。
【請求項７】
前記報知制御部は、警報音の音量に応じて、前記音出力手段より異なるメッセージを出力させるものである請求項３または４に記載のセンサライト。
【発明の詳細な説明】
【技術分野】
【０００１】
本発明は、センサライト、特にそれが有するスピーカなどの音出力手段による警報音の音量設定に関するものである。
【背景技術】
【０００２】
従来より、センサライトとして、センサライト本体の検知エリア内に人（侵入者）が侵入すると、ライトが自動的に点灯するようにしたものは知られている（例えば特許文献１参照）。
【０００３】
またライトが点灯するだけでなく、前記人検知センサよりの検出信号で、警報音が鳴動する機能を有するものも知られている。そのようなものでは、その警報音の音量を調整できるようになっている。
【特許文献１】特開平１０−１４４１３４号公報（段落０００８〜００１３及び図１，図２）
【発明の開示】
【発明が解決しようとする課題】
【０００４】
センサライトは、通常、取り付け高さが２〜３ｍであり、警報音の音量を調整する場合には、センサライト本体の音量設定用ボリュームを手動で操作する必要がある。そのため、そのような音量調整をする際には、脚立などを使用するか、取り付けてあるセンサライト本体を一旦取り外して再度取り付けることが必要となり、非常に面倒かつ困難な作業となっていた。
【０００５】
そこで、脚立などを使用したりセンサライト本体を取り外したりすることなく、音量調整できるようにするために、センサライト本体とは別体の遠隔制御器を備えるようにして、センサライト本体の取付後は、その遠隔制御器を用いて警報音の音量を調整することが考えられる。
【０００６】
ところで、そのように遠隔制御器を備えるようにする場合には、警報音の音量調整だけでなく、センサライトの他の機能についても遠隔制御したいという要求がある。つまり、センサライトは、例えば、ライトの点灯方法として、フラッシング点灯と一般的な点灯の方法の切替制御、フラッシングに切り替えたときのフラッシング速度の制御、警報音鳴動の停止、警報音の種類（チャイム音、アラーム音など）の選択切替など、複数の機能の遠隔制御を有する機能を有するため、遠隔制御器には、音量設定用の操作ボタンのほか、他の機能を制御するための操作ボタンも含めて、多数個配置したいという要求がある。
【０００７】
この発明は、遠隔制御器を用いて、操作ボタンの数にかかわらず、警報音の音量設定を簡単にできるセンサライトを提供する。
【課題を解決するための手段】
【０００８】
請求項１の発明は、光源を有し前記光源の光を検知エリア全体に向けて照射して前記検知エリアを照明する照明部と、前記検知エリア内への侵入者の侵入を検知する侵入検知センサとが、センサライト本体に対して設けられているセンサライトであって、前記センサライト本体とは別体の遠隔制御器を備え、前記遠隔制御器は、１つの音量設定用の押しボタンスイッチと、この押しボタンスイッチが押される毎に前記音量設定信号を生成する信号生成手段と、この信号生成手段により生成された音量設定信号を受け前記センサライト本体に前記音量設定信号を送信する送信手段とを有する一方、前記センサライト本体は、
前記検知センサによる侵入者の侵入の検知により警報音を発する音出力手段と、この音出力手段に連係され警報音の音量を調整する音量調整手段と、前記遠隔制御器の送信手段からの音量設定信号を受け前記音量設定信号の受信回数に対応して前記音量調整手段を制御して前記警報音の音量を設定する制御手段とを備えることを特徴とする。
【０００９】
このようにすれば、センサライト本体の取り付け高さが高くても、遠隔制御器を使用して遠隔制御することで、必要に応じて、警報音の音量を簡単に設定（あるいは変更）することができる。
【００１０】
とくに、警報音の音量設定は、オーディオ機器のように微妙な音量設定を必要としないため、音量設定用の押しボタンスイッチ１つで、その押しボタンスイッチが押される毎に音量設定信号を遠隔制御器から送信し、その音量設定信号の受信回数に対応して警報音の音量を段階的に簡単に設定することができる。そして、段階的な設定とすることで操作性もよくなる。
【００１１】
また、多機能型センサライトにおいて、遠隔制御器を使用する場合には、それの操作面に配置される操作ボタンは多数になり、それらの数が多くなるほど操作が困難であり、大型化し携帯性を損なうおそれがある。請求項１の発明は、警報音の音量が１つの押しボタンスイッチの押圧回数で設定されるようにしているので、音量設定の操作は容易である。また、音量設定用の押しボタンスイッチは１つでよいので、音量設定できるようにしても、ボタン数を１つ増やすだけでよく、遠隔制御器を大きくする必要もない。よって、遠隔制御器の携帯性を損なうおそれもない。
【００１２】
請求項２に記載のように、請求項１のセンサライトにおいて、前記制御手段は、前記音量設定信号の受信回数をカウントするカウント部と、このカウント部よりの信号を受け前記受信回数に応じて警報音の音量を設定する音量設定部と、この音量設定部よりの信号を受け前記音量調整手段を制御して、前記設定された警報音の音量とする調整部とを備える構成とすることができる。
【００１３】
このようにすれば、音量設定部によって、音量設定信号の受信回数に応じて警報音の音量が設定され、調整部によって音量調整手段が制御されて、前記設定された警報音の音量とされる。
【００１４】
請求項３に記載のように、請求項２のセンサライトにおいて、前記制御手段は、前記音量設定部よりの信号を受け前記音出力手段による警報音の現在の設定音量を視覚的又は聴覚的に報知する報知制御部とを備えることが望ましい。
【００１５】
このようにすれば、警報音の現在の音量が希望の音量に設定されているかどうかを視覚的又は聴覚的に確認しながら、警報音の音量を設定することができる。よって、実際の警報音を確認のために鳴動させる必要がなくなり、実際に警報音を鳴動させることで近所迷惑になることを回避できる。
【００１６】
請求項４に記載のように、請求項２又は３のセンサライトにおいて、前記制御手段は、複数段階の音量と前記音量設定信号の受信回数との関係を記憶する記憶部を有し、前記音量設定部は、前記記憶部に連係され前記音量設定信号の受信回数に対応する段階の音量を選択することにより前記警報音の音量を設定するものである構成とすることができる。
【００１７】
このようにすれば、複数段階の音量と前記音量設定信号の受信回数との関係が記憶部に記憶されているので、それを利用することで、音量設定信号の受信回数（押しボタンスイッチの押圧回数）に対応する警報音の音量を選択することで、警報音の音量設定が簡単に
なされる。例えば、最初に手動で、警報音の最大値（ＭＡＸ）を設定する。リコモンによる操作では押しボタンスイッチを押す毎に、設定音量が減衰し、例えば「ＭＡＸ」、「ＭＡＸ−ＡｄＢ」、「ＭＡＸ−ＢｄＢ」、・・・となり、「鳴動停止」まで行くと、再度「ＭＡＸ」に戻り、これを繰り返すことで、段階的に音量設定ができる。
【００１８】
請求項５に記載のように、請求項３のセンサライトにおいて、前記報知制御部は、警報音の音量に応じて、前記光源の点灯状態あるいは点灯回数を変化させるものとすることも可能である。
【００１９】
このようにすれば、遠隔制御器の音量設定用押しボタンスイッチで音量設定するときに、前記光源の点灯状態あるいは点灯回数を変化させることで、現在の警報音の音量がどのような状態にあるかを、簡単に視覚的に知ることができる。この場合、警報音等の音を鳴動させる必要がないので、鳴動により、近隣に迷惑を掛けたり、勘違いを与えるおそれがなくなる。なお、光源の明るさは昼間でも十分に識別することができる。
【００２０】
また、前記報知制御部は、請求項６に記載のように、警報音の音量に応じて、前記音出力手段より出力される音の回数あるいは音の種類を変化させる構成としたり、請求項７に記載のように、警報音の音量に応じて、前記音出力手段より異なるメッセージを出力させる構成として、音出力手段により確認音を鳴動させるようにしても、同様に、現在の警報音の音量を、簡単に聴覚的に知ることができる。さらに、光源の点灯状態あるいは点灯回数の変化と確認音の出力を併用すれば、現在の警報音の音量の確認が確実となる。
【発明の効果】
【００２１】
本発明は、センサライト本体とは別体の遠隔制御器を使用して警報音の音量を設定するようにしたので、センサライト本体の取り付け高さが高くても、必要に応じて、警報音の音量を簡単に設定することができる。
【発明を実施するための最良の形態】
【００２２】
以下、本発明の実施の形態を図面に沿って説明する。
【００２３】
図１は本発明の一実施の形態に係るセンサライトの警報音設定装置の概略構成を示す図である。
【００２４】
図１に示すように、センサライト１は、センサライト本体２と、リモコン３（遠隔制御器）とを備え、リモコン３は、赤外線式又は電波方式で、センサライト本体２との間でワイヤレス通信できるようになっている。
【００２５】
センサライト本体２は、ハロゲンランプなどのランプ１１Ａ（光源）を有し、ランプ１１Ａの光を検知エリア全体に向けて照射して前記検知エリアを照明する照明部１１と、前記検知エリア内への侵入者の侵入を検知する人体検知センサ１２（侵入検知センサ）とを備える。この検知センサ１２により侵入者の侵入が検知されると、検知信号が増幅器１３を介して、マイクロコンピュータからなる制御手段１４に入力される。そして、この制御手段１４による制御にて、照明部１１において、ランプ駆動回路１１Ｂを介してランプ１１Ａを点灯させるので、検知エリアが照明される。
【００２６】
照度センサ１５からの信号も増幅器１６を介して制御手段１４に入力され、昼間などの周囲が明るい状況下で、照度が一定値を超えるような場合には、ランプ１１Ａが点灯しないように制御される。
【００２７】
また、制御手段１４は、音量調整手段１７（電子ボリューム１７Ａ、音量設定ボリュー
ム付増幅器１７Ｂ）を介してスピーカ１９（音出力手段）に接続され、センサライト本体２は、検知センサ１２により侵入者の侵入が検知されたときに、所定の音量の警報音も出力できるようになっている。
【００２８】
さらに、リモコン受信回路２１を備え、リモコン３からのランプ駆動信号や音量設定信号にもとづき、ランプ駆動や音量設定などが遠隔制御できるようになっている。
【００２９】
また、制御手段１４には、ランプ１１Ａが点灯する時間を設定するためのランプ点灯時間設定ボリューム３１、ランプ１１Ａが点灯するときの周囲照度を設定するためのランプ点灯周囲照度設定ボリューム３２、音声ＲＯＭから音声ファイルを選択するのに用いる警報音音色選択スイッチ３３、ランプ１１Ａのフラッシング速度を設定するためのフラッシング速度設定スイッチ３４なども接続されている。
【００３０】
また、リモコン３は、１つの音量設定用の押しボタンスイッチ４１と、マイクロコンピュータからなり音量設定信号を生成する信号生成手段４２と、この信号生成手段４２により生成された音量設定信号をセンサライト本体２に送信するリモコン送信回路４３(送信
手段）とを備える。信号生成手段４２は、押しボタンスイッチ４１が１回押される毎に１つの音量設定信号を生成するようになっている。
【００３１】
制御手段１４は、前記音量設定信号の受信回数をカウントするカウント部１４Ａと、このカウント部１４Ａよりの信号を受け前記受信回数（押しボタンスイッチ４１の押圧回数）に応じて警報音の音量を設定する音量設定部１４Ｂと、この音量設定部１４Ｂよりの信号を受け音量調整手段１７を制御して、前記設定された警報音の音量とする調整部１４Ｃとを備える。また、制御手段１４は、音量設定部１４Ｂよりの信号を受けスピーカ１９による警報音の現在の設定音量を視覚的に報知する報知制御部１４Ｄと、複数段階の音量と前記音量設定信号の受信回数との関係を記憶する記憶部１４Ｅを有する。そして、音量設定部１４Ｂは、記憶部１４Ｅに連係され、前記音量設定信号の受信回数に対応する段階の音量を選択することにより前記警報音の音量を設定するようになっている。
【００３２】
よって、押しボタンスイッチ４１が押されると、押される毎に音量設定信号が生成され、その音量設定信号が、リモコン送信回路４３を通じて、センサライト本体２側のリモコン受信回路２１に無線送信される。これにより、センサライト本体２側において、カウント部１４Ａが前記音量設定信号の受信回数をカウントし、音量設定部１４Ｂが、記憶部１４Ｅに記憶されている複数段階の音量のうち前記音量設定信号の受信回数に対応する段階の音量を選択することにより前記警報音の音量を設定する。そして調整部１４Ｃが、電子ボリューム１７Ａ及び音量設定ボリューム付増幅器１７Ｂを調整して、スピーカ１９から出力する警報音の音量が、前記設定された音量とされる。よって、検知センサ１２により侵入者の侵入が検知されたときには、前記設定された音量の警報音がスピーカ１９から出力される。
【００３３】
このようにして、リモコン３からの音量設定信号に基づき、警報音の音量が設定されるときには、いずれの音量が設定されたかの確認のために、ランプ１１Ａが、次の表１に示すように点灯される。
【００３４】
【表１】
2009064376.tif 000003
つまり、
(i)押しボタンスイッチ４１を最初に押す（１回目）と、現状の設定音量が確認される。
通常は「ＭＡＸ」であるので、ライトは１秒点灯される。
(ii)押しボタンスイッチ４１を２秒以内に押す（２回目）と、現状の設定音量より６ｄＢ減衰されて「ＭＡＸ−６ｄＢ」とされ、０．３秒の点灯が１回実施される。
(iii)押しボタンスイッチ４１を２秒以内に押す（３回目）と、現状の設定音量より１２
ｄＢ減衰されて「ＭＡＸ−１２ｄＢ」とされ、０．３秒の点灯が２回実施される。
(iv)押しボタンスイッチ４１を２秒以内に押す（４回目）と、現状の設定音量より１８ｄＢ減衰されて「ＭＡＸ−１８ｄＢ」とされ、０．３秒の点灯が３回実施される。
(v)押しボタンスイッチ４１を２秒以内に押す（５回目）と、鳴動が停止され、０．１秒
の点灯が５回実施される。
(vi)押しボタンスイッチ４１を２秒以内に押す（６回目）と、設定音量は最初に戻り、「ＭＡＸ」となり、１秒間点灯される。
【００３５】
よって、例えば、現状設定音量が(iii)の「ＭＡＸ−１２ｄＢ」であれば、押しボタン
スイッチ４１を押す押圧回数に応じて、「ＭＡＸ−１２ｄＢ」、「ＭＡＸ−１８ｄＢ」、「鳴動停止」、「ＭＡＸ」、「ＭＡＸ−６ｄＢ」・・・の順に設定されることになる。
【００３６】
なお、２秒以上経過してから押しボタンスイッチ４１を押すと、現在の状態がキャンセルされ、(i)の初期状態であると認識される。また、音量は表１では５段階に設定してい
るが、４段階以下あるいは６段階以上に設定してもよいのはもちろんであり、また、２秒以内の時間間隔でもって押す場合に制限されることはなく、他の時間間隔以内でもって連続的に押す場合に認識するようにすることもできのはいうまでもない。
【００３７】
続いて、具体的に制御手段１４による制御の流れについて、図３−１及び図３−２に沿って説明する。
【００３８】
スタートすると、まず、初期設定が実行され（ステップＳ１）、続いてリモコン３より音量設定のコマンド（音量設定信号）を受信したか否かが判定される（ステップＳ２）。
【００３９】
音量設定のコマンドを受信した場合には、続けて、２回目の音量設定のコマンドを受信したか否かが判定される（ステップＳ３）一方、受信していない場合には、直ちに、他のリモコン機能のチェック及び処理を行って（ステップＳ４）、ステップＳ２に戻る。
【００４０】
ステップＳ３の判定で、２回目の音量設定のコマンドを受信したと判定される場合には、音量設定のコマンドを受信してから２秒経過したか否かが判定され（ステップＳ５）、２秒経過していれば、音量設定のコマンドの受信回数は２回であると判定し、現状の音量設定状態を１ステップ進め（ステップＳ６）、１ステップ進めた状態をランプ１１Ａで表示(報知）して（ステップＳ７）、ステップＳ４に移行する一方、２秒経過していなけれ
ば、３回目の音量設定のコマンドを受信したか否かが判定される（ステップＳ８）。
【００４１】
一方、ステップＳ３の判定で、２回目の音量設定のコマンドを受信していないと判定される場合にも、音量設定のコマンドを受信してから２秒経過したか否かが判定され（ステップＳ９）、２秒経過していれば、音量設定のコマンドの受信回数は１回であると判定し、現状の音量設定状態をランプ１１Ａで表示して（ステップＳ１０）、ステップＳ４に移行する一方、２秒経過していなければ、ステップＳ３に戻り、２回目の音量設定のコマンドを受信したか否かの判定が継続される。つまり、２回目の音量設定のコマンドが、最初の音量設定のコマンドの受信から２秒以内に受信されないと、２回目の音量設定のコマンドの受信は無視され、音量設定のコマンドの受信回数は１回とされる。
【００４２】
ステップＳ８の判定で、３回目の音量設定のコマンドを受信したと判定される場合には、音量設定のコマンドを受信してから２秒経過したか否かが判定され（ステップＳ１１）、２秒経過していれば、音量設定のコマンドの受信回数は３回であると判定し、現状の音量設定状態を２ステップ進め（ステップＳ１２）、２ステップ進めた状態をランプ１１Ａで表示して（ステップＳ１３）、ステップＳ４に移行する一方、２秒経過していなければ、４回目の音量設定のコマンドを受信したか否かが判定される（ステップＳ１４）。
【００４３】
一方、ステップＳ８の判定で、３回目の音量設定のコマンドを受信していないと判定される場合には、ステップＳ５に戻って音量設定のコマンドを受信してから２秒経過したか否かが判定され、２秒経過していれば、音量設定のコマンドの受信回数は２回であると判定し、現状の音量設定状態を１ステップ進める（ステップＳ６）。一方、２秒経過していなければ、再度ステップＳ８に移行し、３回目の音量設定のコマンドを受信したか否かが判定される。
【００４４】
ステップＳ１４の判定で、４回目の音量設定のコマンドを受信したと判定される場合には、音量設定のコマンドを受信してから２秒経過したか否かが判定され（ステップＳ１５）、２秒経過していれば、音量設定のコマンドの受信回数は４回であると判定し、現状の音量設定状態を３ステップ進め（ステップＳ１６）、３ステップ進めた状態をランプ１１Ａで表示して（ステップＳ１７）、ステップＳ４に移行する一方、２秒経過していなければ、５回目の音量設定のコマンドを受信したか否かが判定される（ステップＳ１８）。
【００４５】
一方、ステップＳ１４の判定で、４回目の音量設定のコマンドを受信していないと判定される場合には、ステップＳ１１に戻り、音量設定のコマンドを受信してから２秒経過したか否かが判定される。
【００４６】
ステップＳ１８の判定で、５回目の音量設定のコマンドを受信したと判定される場合には、音量設定のコマンドを受信してから２秒経過したか否かが判定され（ステップＳ１９）、２秒経過していれば、音量設定のコマンドの受信回数は５回であると判定し、現状の音量設定状態を４ステップ進め（ステップＳ２０）、４ステップ進めた状態をランプ１１Ａで表示して（ステップＳ２１）、ステップＳ４に移行する一方、２秒経過していなければ、６回目の音量設定のコマンドを受信したか否かが判定される（ステップＳ２２）。
【００４７】
一方、ステップＳ１８の判定で、５回目の音量設定のコマンドを受信していないと判定される場合には、ステップＳ１５に戻り、音量設定のコマンドを受信してから２秒経過したか否かが判定される。
【００４８】
ステップＳ２２の判定で、６回目の音量設定のコマンドを受信したと判定される場合には、音量設定のコマンドを受信してから２秒経過したか否かが判定され（ステップＳ２３）、２秒経過していれば、音量設定のコマンドの受信回数は６回であると判定し、ステップＳ１０に移行し、最初の音量設定のコマンドを受信する前の音量設定状態をランプ１１Ａで表示する。一方、２秒経過していなければ、ステップＳ４に移行して、他のリモコン
機能のチェック及び処理を行うことになる。
【００４９】
前記実施の形態では、音出力手段による警報音の現在の設定音量を視覚的又は聴覚的に報知(表示）するために、報知制御部は、視覚的に報知するランプ１１Ａを制御して利用
するようにしているが、ランプ１１Ａの点灯に変えて、聴覚的に報知するスピーカ１９を用いることも可能である。つまり、警報音の現在の設定音量の確認は、次の表２に示すようにすることができる。この場合、確認のための鳴動音だけ、メッセージだけ、あるいはそれら両方を用いることができる。また、それらと、視覚的に報知するランプ１１Ａの点灯と併用することも可能である。
【００５０】
【表２】
2009064376.tif 000004
また、前述した実施の形態では、報知制御手段をセンサライト本体側に設けているが、遠隔制御器側に報知制御手段を設け、遠隔制御器からセンサライト本体に音量設定信号を送信した場合に、センサライト本体から音量設定信号を受信した旨の返信があった場合に、遠隔制御器側において、音出力手段による警報音の現在の設定音量を視覚的又は聴覚的に報知する構成とすることも可能である。このようにすれば、実際の警報音を鳴動させずに、遠隔制御器側において、希望の音量であるかどうかを確認しながら、警報音の音量を設定することができる。
【００５１】
また、センサライト本体が、高い場所に取り付けられていなくても、使用者の手が届かない場所に設けられている場合にも同様に、本発明を適用することができる。
【図面の簡単な説明】
【００５２】
【図１】本発明の一実施の形態に係るセンサライトの概略構成を示す図である。
【図２】リモコンの概略構成を示す図である。
【図３−１】センサライト本体の制御手段の処理の流れを示すフローチャート図である。
【図３−２】センサライト本体の制御手段の処理の流れを示すフローチャート図である。
【符号の説明】
【００５３】
１    センサライト
２    センサライト本体
３    リモコン（遠隔制御機器）
１１Ａ    ランプ（光源）
１２    人体検知センサ（侵入検知センサ）
１４    制御手段
１４Ａ    カウント部
１４Ｂ    音量設定部
１４Ｃ    調整部
１４Ｄ    報知制御部
１４Ｅ    記憶部
１７    音量調整手段
１９    スピーカ（音出力手段）
２１    リモコン受信回路
４１    音量設定用の押しボタンスイッチ
４２    信号生成手段
４３    リモコン送信回路
【図１】
2009064376.tif 000005
【図２】
2009064376.tif 000006
【図３−１】
2009064376.tif 000007
【図３−２】
2009064376.tif 000008